(57)【要約】【課題】  ボール部周壁上方に設けた上部周壁の上端面に洗浄水を給水手段で送り、外周面を流れる尿滴と水膜は，ボール部周壁と上部周壁の間を内方に斜降する隙間でなる収水路でボール部内に回収される縁洗浄型の水洗大便器において、使用者着座時の荷重が給水手段を損傷せず、上部周壁の支持構成も簡素化し得る水洗大便器の提供。【解決手段】  縁洗浄用の給水手段（４ｃ）を、上部周壁（１）に対向する位置に沿って便座（４）の下面に設ける。上部周壁はその基部（１ａ）において、荷重を受けたとき下面の全部または基部に近い一部をボール部周壁（２）上面に接するまで下降可能に弾性材で支持される。【選択図】図１
2011115388.tif 000002
【特許請求の範囲】
【請求項１】
便座とボール部周壁の間に上部周壁を備え、上部周壁の外周面は下方に向かってボール部内方に傾斜し、上部周壁外周面とボール部周壁上端面との間に、上部周壁の上端面から外周面に沿って流下する液滴の、ボール部内への流下を阻害しない幅の隙間でなる収水路を形成する水洗大便器において、便座はその下面において上部周壁上端面に洗浄水を供給する給水手段を備えることを特徴とする水洗大便器。
【請求項２】
ボール部周壁は内面にボール部洗浄用旋回流を導く導水路を備えることを特徴とする請求項１記載の水洗大便器。
【請求項３】
上部周壁は内面にボール部洗浄用旋回流の一部を導く導水路を備えることを特徴とする請求項１記載の水洗大便器。
【請求項４】
上部周壁は荷重を受けて下面をボール部周壁上面に接するまで下降可能に弾性支持されることを特徴とする請求項１記載の水洗大便器。
【請求項５】
上部周壁は、ボール部の給排水部に載置固定されかつ弾性材でなる上部周壁支持部から円環状もしくは閉Ｕ字状に延長するとともに、使用者着座時の便座からの荷重により、上部周壁支持部が弾性材でこの荷重を吸収しつつ下降し、上部周壁下端面でボール部周壁上端面と弾性的に接合することを特徴とする請求項１記載の水洗大便器。
【請求項６】
上部周壁は、ボール部前方部に対応する前方部において、両側面に対応する側方部より薄手に形成され、荷重による下降の際、側方部下端面はボール部周壁上端面と接合するに対して、前方部の下端面はボール部周壁上端面との間の収水路をなす隙間を維持することを特徴とする請求項５記載の水洗大便器。
【請求項７】
上部周壁は、少なくとも前方部においてボール部内面側下端に、ボール部周壁上端面より下に伸びる垂下縁を備えることを特徴とする請求項６記載の水洗大便器。  
【請求項８】
便座はその前方部の下面において、上部周壁の内周面側上端近くに伸びる排尿受け板を備え、給水手段は少なくとも排尿受け板の後面側に洗浄水を供給可能に設けられることを特徴とする、請求項１から７のいずれかに記載の水洗大便器。
【発明の詳細な説明】
【技術分野】
【０００１】
本発明は水洗大便器、特に、便座とボール部周壁の間に上部周壁を設け、ボール部周壁と上部周壁の間に、上部周壁外周面に沿って流下する水膜をボール部内へ導く隙間を設け、上部周壁上端面に洗浄水を供給して上部周壁表面に付着した尿滴を洗浄する縁洗浄型とした水洗大便器に関する。
【背景技術】
【０００２】
上記の本発明が関与する縁洗浄型の水洗大便器は、本発明者らが先に提案したものであり、従来は水洗式の大便器と小便器のいずれにおいても水洗洗浄の対象外であったため、ボール部周壁の上端面、つまり縁は、大便器においても便座を立てて直立姿勢で行う男子の排尿の際には小便器の場合と全く同様に、飛散する尿滴が付着し、汚染されるがままであることに着目し、対策として提案したものである。その構成の概略を述べれば、ボール部周壁上端面の内部に通水路を設け、上端面の略全長に開口する溢水口から、通水路に供給した洗浄水を溢水させて水膜流としてボール部周壁の内外周面を洗浄させ、外周面を洗浄した水膜流は外周面上部から通水路の下を通ってボール部内方に斜降する隙間で構成する収水路を介してボール部内に収容されるようにすることによって、ボール部周壁上端面の洗浄のみならず、外周面を流下する尿滴による床面の汚染防止をも可能とした水洗便器洗浄方式と水洗便器である（特許文献１参照）。この文献１では、隙間或いは収水路より上方の周壁部分を上部周壁と呼び、下方の部分を下部周壁と呼び、上部周壁と下部周壁でボール部周壁を構成すると記載しているが、下部周壁とボール部周壁は同一部分を指すので、本明細書では、簡潔、明瞭のため、収水路より下方の部分をボール部周壁として記載している。
【先行技術文献】
【特許文献】
【０００３】
【特許文献１】特開２００９−７９２２号公報
【発明の概要】
【発明が解決しようとする課題】
【０００４】
特許文献１に記載の縁洗浄型水洗大便器においては、上部周壁とボール部周壁の間の隙間を置く構成がとられるが、使用者が着座せずに便座を立てて排尿する際はなんら荷重は生じないとしても、着座して排便を行う際には便座を介して上部周壁に荷重がかかる。この荷重は上部周壁の上端面に対して生じるが、上部周壁上端面には給水手段として通水路と溢水口が設けられており、通常４箇所の部分的スペーサー或いは弾性脚部で伝わる荷重は上部周壁上端面を変形させ、給水手段を損傷させるに十分なものとなりうる。
【０００５】
また、上部周壁上端面への給水手段は溢水口からの溢水を上部周壁の略全長に亘って均等に行うことが求められるので、大便器の設置の際に全溢水口が水平となるように設定することが望ましく、その分、便器の設置作業が煩雑となる。
【０００６】
さらに、上部周壁は荷重下においてもボール部周壁との隙間を保つために、大便器の正面部内において片持ち梁構造とすることを要するが、設計荷重を大きく設定するには上部周壁自体の強度増加を含めて片持ち梁構造の大型化が必要となり、デザイン性とコストの面から好ましくない。
【０００７】
従って本発明は、ボール部周壁上方に上部周壁を設け、上部周壁上端面への給水手段を備えることによって縁洗浄型とした水洗大便器において、使用者着座の際の荷重が給水手段の構成と機能に影響を与えず、便器の設置が煩雑な水平化作業を必要とせず、耐荷重構造として片持ち梁構造の大型化或いは片持ち梁構造そのものを必要としない上部周壁支持構成を備えた水洗大便器を提供することを目的とする。
【課題を解決するための手段】
【０００８】
上記目的を達成するために、請求項１に係る本発明の水洗大便器は、便座とボール部周壁の間に上部周壁を備え、上部周壁の外周面は下方に向かってボール部内方に傾斜し、上部周壁外周面とボール部周壁上端面との間に、上部周壁の上端面から外周面に沿って流下する液滴の、ボール部内への流下を阻害しない幅の隙間でなる収水路を形成する水洗大便器において、便座はその下面において上部周壁上端面に洗浄水を供給する給水手段を備えることを特徴とする。
請求項２の本発明は、請求項１記載の水洗大便器において、ボール部周壁は内面にボール部洗浄用旋回流を導く導水路を備えることを特徴とする。
請求項３の本発明は、請求項１記載の水洗大便器において、上部周壁は内面にボール部洗浄用旋回流の一部を導く導水路を備えることを特徴とする。
請求項４の本発明は、請求項１記載の水洗大便器において、上部周壁は荷重を受けて下面をボール部周壁上面に接するまで下降可能に弾性支持されることを特徴とする。
請求項５の本発明は、請求項１記載の水洗大便器において、上部周壁は、ボール部の給排水部に載置固定されかつ弾性材でなる上部周壁支持部から円環状もしくは閉Ｕ字状に延長するとともに、使用者着座時の便座からの荷重により、上部周壁支持部が弾性材でこの荷重を吸収しつつ下降し、上部周壁下端面でボール部周壁上端面と弾性的に接合することを特徴とする。
請求項６の本発明は、請求項５記載の水洗大便器において、上部周壁は、ボール部前方部に対応する前方部において、両側面に対応する側方部より薄手に形成され、荷重による下降の際、側方部下端面はボール部周壁上端面と接合するに対して、前方部の下端面はボール部周壁上端面との間の収水路をなす隙間を維持することを特徴とする。
請求項７の本発明は、請求項６記載の水洗大便器において、上部周壁は、少なくとも前方部においてボール部内面側下端に、ボール部周壁上端面より下に伸びる垂下縁を備えることを特徴とする。
請求項８の本発明は、請求項１から７のいずれかに記載の水洗大便器において、便座はその前方部の下面において、上部周壁の内周面側上端近くに伸びる排尿受け板を備え、給水手段は少なくとも排尿受け板の後面側に洗浄水を供給可能に設けられることを特徴とする。  
【発明の効果】
【０００９】
本発明によれば、縁洗浄構成における上部周壁への洗浄用給水手段を便座の下面に設けて上方から給水するので、給水手段が使用者着座時の荷重により損傷を受ける恐れは払拭される。従って従来は上部周壁上端面に水平に設置することを要した溢水機構が不要となり、しかも、上部周壁とボール部周壁の間の収水路を形成する隙間は使用者が着座して荷重を受けるときは縁洗浄を行わず、隙間は閉じてあっても良いことから、上部周壁の支持機構が簡素化、軽量化され、荷重を弾性材で吸収しつつ下降させ、軽減した荷重をボール部周壁で支え、使用者離座による荷重消滅と共に上昇させて隙間を復活させることが可能となる。
【図面の簡単な説明】
【００１０】
【図１】図１は本発明による実施例１の水洗大便器を、無荷重で、便蓋および便座を立てた状態で示す斜視図。
【図２】図２は図１の水洗大便器の、使用者離座、男子排尿時におけるボール部の上部周壁とボール部周壁の位置関係を示す部分拡大断面図。
【図３】図３は図１の水洗大便器の、使用者着座の有荷重時における便座と上部周壁とボール部周壁との位置関係を示す部分拡大断面図。
【図４】図４は本発明による実施例２の水洗大便器を、便蓋および便座を立てた状態で示す斜視図。
【図５】図５は図４の水洗大便器の使用者離座つまり無荷重時における便座、支持部を含む上部周壁、およびボール部周壁の構成を略図的に示す側面図。
【図６】図６は図４の水洗大便器の使用者着座つまり有荷重時における便座、支持部を含む上部周壁、およびボール部周壁の構成を略図的に示す側面図。
【図７】図７は図５におけるＡ−Ａ’線に沿う部分拡大断面図で、無荷重時であり、かつ縁洗浄を行うときの便座と上部周壁とボール部周壁の位置関係を示す図。
【図８】図８は図６におけるＢ−Ｂ’線に沿う部分拡大断面図で、有荷重で用便中における便座と上部周壁とボール部周壁の位置関係を示す図。
【図９】図９は図５におけるＣ−Ｃ’線に沿う部分拡大断面図で、無荷重で縁洗浄を行うときの便座と上部周壁の前方部とボール部周壁の位置関係を示す図。
【図１０】図１０は図６におけるＤ−Ｄ’線に沿う部分拡大断面図で、有荷重、用便中における便座と下部周壁の前方部とボール部周壁の位置関係を示す図。
【図１１】図１１は図１の実施例１における水洗大便器の、同じ無荷重状態における側面図。
【図１２】図１２は図１１の水洗大便器の有荷重時における側面図。
【図１３】図１３は図４の実施例２における水洗大便器の、同じ無荷重状態における側面図。
【図１４】図１４は図１３の水洗大便器の有荷重時における側面図。
【図１５】図１５は本発明による実施例３の水洗大便器の前方部分の便座下面に設けた排尿受け板と縁洗浄構成との位置関係を示す部分拡大断面図。
【発明を実施するための形態】
【００１１】
本発明による水洗大便器の実施例１を図１−３および図１１、１２について説明し、実施例２を図４−１０および図１３、１４について説明し、実施例３を図１５について説明する。
【実施例１】
【００１２】
図１に全体を示す本発明の水洗大便器において、本体をなすボール部は、前述の特許文献１に詳記するように、縁洗浄型として上部周壁１とボール部周壁２、そして両者の間の隙間でなる収水路３を備える。これらの断面形状と位置関係は図２に示すとおりであり、図２は図１のボール部において右側方の一部断面であるため、図２の右側がボール部の外側で、左側が内側となる。上部周壁１の上端面から右側の外周面を流下する尿滴等の液滴は、収水路３の上面に沿って左下方に流れ、ボール部周壁２の内側に収容される。
【００１３】
図１では便蓋５と共に立てた位置にある便座４は、本発明によれば、その下面の外周縁と略平行に、かつ、上部周壁１の上端面と対向してＵ字形に配設した縁洗浄用の給水手段４ｃを備え、便座４を下ろした状態の図２に示すように、給水手段４ｃは通常４ヶ所に置かれるスペーサー４ｂで決まるスペースを介して対向する上部周壁１の上端面に縁洗浄用の洗浄水を給水して、上部周壁１の周面に付着あるいは周面を流れる液滴とともに直接あるいは収水路３を介してボール部内に収容する。
【００１４】
給水手段４ｃの給水は、図２のように上部周壁１がボール部周壁２から離れ、収水路３の隙間が確保されている状態で行われ、図３のように収水路３が閉じられている状態では行われない。つまり、本発明によれば、上部周壁１は上部周壁支持部１ａにより上下動可能に支持され、使用者の着座に伴う有荷重時には図３または１２の下降状態となって縁洗浄給水は行われず、離座に伴う無荷重時には図１、２または１１の上昇位置となって縁洗浄給水が行われる。便座４と便蓋５を下ろした状態を有荷重とするかどうかは、使用者の荷重との差の大きさからすれば、無荷重とすることが構成の簡素化につながる。男子の排尿時を含む便座４と便蓋５を上げた状態は、無荷重状態ではあるが縁洗浄給水は行わない。したがって、便座４の下方位置と上部周壁１の上昇位置の双方を検知した場合にのみ、縁洗浄用給水手段４ｃ単独で作動させるか、またはボール部内洗浄用給水手段（図示しない）と連動して作動させる。なお、給水手段４ｃは便座４の下面基部に支線４ｅを有し、ボール部の上部周壁１の両基部間に連なる局部洗浄器具（図示しない）カバー部分の表面を洗浄するように、給水手段４ｃとともに作動させる。また局部洗浄器具のセルフ洗浄機構と連動させることで、局部洗浄器具のアーム部分（図示しない）も自動洗浄することもできる。これにより従来は人手洗浄が不可欠あった局部洗浄器具の取り付け部分も自動洗浄される。
【００１５】
縁洗浄用の給水手段４ｃの配置線とスペーサー４ｂの配置位置が重なる場合、スペーサー配置位置では給水手段の出水口を閉じておき、スペーサー４ｂの断面形状を例えばＶ字状にしてスペーサー４ｂと上部周壁１との接触面積を小さくしておく。いずれの場合も、給水手段４ｃから上部周壁１への出水方向は直角とせず、上部周壁の長手方向に沿って傾斜させたり、出水そのものをミスト状にしたりして、水撥ねを防ぐとともにスペーサーの接触部分への積極的給水を図ることが望ましい。水撥ねに対しては、図３に示すように、便座４の外周に設けた外スカート４ｄにより外部への撥ねを防ぐことが有効である。
【００１６】
上記縁洗浄用の給水手段４ｃとは別に、ボール部周壁２の内面の主洗浄用水が、ボール部後方部分の給排水手段により、ボール部周壁２の内面に設けた旋回流形成用の導水路を介して供給される。旋回流導水路は主洗浄用水の全量をボール部周壁２の内面に導く場合と、一部を上部周壁１の内面にも導く場合、のいずれとすることもできる。
【実施例２】
【００１７】
図４に本発明の実施例２における水洗大便器を、便座４と便蓋５を立てた無荷重状態で示すが、この実施例２は便座４の下面に縁洗浄用給水手段４ｃとその支線４ｅを設けた点では実施例１と全く同じであり、その構成と作用も全く同じである。実施例２の水洗大便器が実施例１のものと異なる点は、上部周壁１がその側方部１ｂと前方部１ｃの上下動方向における厚さを変えて形成されることである。側方部１ｂとは、ボール部周壁１の左右両側壁部分の上に位置する部分の上部周壁１で、使用者着座時の荷重の大部分を受ける箇所であって、図５と６のＡ−Ａ’線とＢ−Ｂ’線の断面の図７と８に示すように、上下動方向の厚さを大きくしてある。前方部１ｃとは、着座位置から見て前方において側方部１ｂをつなぐＵ字部分であって、図５と６のＣ−Ｃ’線とＤ−Ｄ’線の断面の図９と１０に示すように、上下動方向の厚さを小さくしてある。上部周壁支持部１ａは、上部周壁１の側方部１ｂの基部を弾性材で、上部周壁１全体を上下動可能に支持する。
【００１８】
使用者が離座、つまり無荷重時には、図５、７、９と１３が示すように、側方部１ｂと前方部１ｃを含む上部周壁１はボール部周壁２の上端面との隙間つまり収水路３を保つ上方位置にあり、特に前方部１ｃは、図５と９に示すように、側方部１ｂより厚さが小さい分だけ大きい幅の収水路３を形成している。縁洗浄はこの無荷重状態で便座が下ろした位置にあることが検知された時に行われる。
【００１９】
使用者着座の有荷重時には、図６、８、１０と１４が示すように、上部周壁１は下降位置にあり、従ってその側方部１ｂは下面をボール部周壁２の上面に接して収水路３を閉じているが、前方部１ｃはボール部周壁２の上面から離れており、収水路３を開いている。この構成により、上部周壁支持部１ａは弾性材の耐荷重範囲に余裕を持たせることができる。
【００２０】
上部周壁１の前方部１ｃが、水洗大便器の有荷重時においても便器前方部分の収水路３を開いていることは、使用者の着座位置での排尿が収水路３の内方開口から逆に侵入してボール部周壁２の外周面側へ逆流する危険がある。本実施例においてはその対策として、図７〜１０に示すように、上部周壁１はその内周側下端に収水路３の内方開口を覆う長さの垂下縁１ｄを備える。着座位置から上部周壁１の前方部１ｃに向かう排尿は上部周壁１の内周面を濡らし、垂下縁１ｄの下端からボール部内に落下するから、収水路３を排尿が逆流することはない。
【実施例３】
【００２１】
図１５に、本発明による水洗大便器の実施例３として、着座位置から上部周壁１の前方部１ｃに向かう排尿への別の対策を示す。特に便座４と上部周壁４の間にスペーサー４ｂで作られる空間４ｈに向かう排尿への対策として、便座４はその下面の、上部周壁１の内周面側上端に近い位置から垂下する排尿受け板４を備える。この排尿受け板４ｇは着座位置の使用者から見て正面となる便座部分に設けられ、望ましくは、排尿受け板４ｇに沿って便座４の下面に給水手段４ｃから分岐させた給水手段の第２支線を設け、特に排尿受け板４ｇの使用者側である後面、望ましくは前後両面に洗浄水を供給する。図１５では上部周壁１を実施例１に示すものとしてあるが、実施例２に示すものであっても良い。
【符号の説明】
【００２２】
１    上部周壁
１ａ  上部周壁支持部
１ｂ  側方部
１ｃ  前方部
１ｄ  垂下縁
２    ボール部周壁
Ｂ１  給排水部
３    収水路
４    便座
４ａ  開口
４ｂ  スペーサー
４ｃ  給水手段
４ｄ  外スカート
４ｅ  支線（給水手段の）
４ｆ  第２支線（給水手段の）
４ｇ  排尿受け板
５    便蓋
【図１】
2011115388.tif 000003
【図２】
2011115388.tif 000004
【図３】
2011115388.tif 000005
【図４】
2011115388.tif 000006
【図５】
2011115388.tif 000007
【図６】
2011115388.tif 000008
【図７】
2011115388.tif 000009
【図８】
2011115388.tif 000010
【図９】
2011115388.tif 000011
【図１０】
2011115388.tif 000012
【図１１】
2011115388.tif 000013
【図１２】
2011115388.tif 000014
【図１３】
2011115388.tif 000015
【図１４】
2011115388.tif 000016
【図１５】
2011115388.tif 000017